(57)【要約】【課題】無線通信部の無線特性の劣化が少なく、撮影画像の画質劣化が少ない、小型化及び薄型化が可能なカメラ付き通信端末を提供する。【解決手段】カメラ付き無線通信端末は、互いに対向配置された第１の回路基板１０及び第２の回路基板２０を備える。第１の回路基板は、配線層１０ａ〜１０ｆを有し、第２の回路基板２０は、配線層２０ａ〜２０ｆを有する。配線層１０ｃと１０ｆの領域３０は、グランド層であり、デジタル信号用配線層である配線層１０ｄ及び１０ｅを挟んでいる。また、配線層１０ｃは、アナログ信号用配線層である配線層１０ｂとデジタル信号用配線層である配線層１０ｄの間に形成され、配線層１０ｆは、第２の回路基板２０に対向して配置される。【選択図】図１
2006013783.tif 000002
【特許請求の範囲】
【請求項１】
カメラ機能を有するカメラ付き通信端末であって、
前記カメラ機能を実現するための回路の少なくとも一部を実装する第１の回路基板と、
前記第１の回路基板と対向配置され、通信機能を実現するための無線回路の少なくとも一部を実装する第２の回路基板を備え、
前記第１の回路基板は、前記カメラ機能を実現するための電子部品が実装される部品層と、前記カメラ機能を実現するためのアナログ信号処理部を構成するアナログ信号用配線層と、前記デジタル信号処理部を構成するデジタル信号用配線層と、前記デジタル信号用配線層を挟む２枚以上のグランド層を含み、
前記グランド層の一つは、前記アナログ信号用配線層と前記デジタル信号用配線層との間に配置され、
前記グランド層の他の一つは、前記第２の回路基板と対向して配置されるカメラ付き通信端末。
【請求項２】
請求項１記載のカメラ付き通信端末であって、
前記アナログ信号用配線層には、前記アナログ信号処理部のアナログ信号線及び前記アナログ信号処理部に対する電源供給線が形成され、
前記デジタル信号用配線層には、前記デジタル信号処理のデジタル信号線及び前記デジタル信号処理部に対する電源供給線が形成されるカメラ付き通信端末。
【請求項３】
請求項１又は２記載のカメラ付き通信端末であって、
前記デジタル信号処理部は、前記カメラ機能を実現するためのデジタル信号処理と当該通信端末の操作及び表示を制御するためのデジタル信号処理を行うカメラ付き通信端末。
【発明の詳細な説明】
【技術分野】
【０００１】
本発明は、カメラ付き通信端末に関するものである。
【背景技術】
【０００２】
カメラ付き通信端末は、図２に示すように、端末外部と通信する無線通信部１と、カメラ部２と、ユーザーによる通信端末の操作信号を入力する入力部３と、画像や文字を表示する表示部を含む出力部４と、通信端末の動作を制御する制御部５を含んで構成される。
【０００３】
カメラ部２は、撮像素子を含む撮像部と撮像部から得られるアナログ撮像信号を処理するアナログ信号処理部と、アナログ信号処理部からのアナログ信号をデジタル信号に変換し、撮影画像データを生成するデジタル信号処理部と、撮像部を制御するカメラ制御部と、撮像部を駆動するための電源生成部を含む。また、制御部５は、所定のプログラムを実行するプロセッサを主体に構成され、デジタル信号処理を行う。
【０００４】
カメラ部２のデジタル信号処理及び制御部５のデジタル信号処理は、動作クロックの高速化に伴って、高周波の電磁波ノイズを発生するため、ノイズ対策を講じる必要がある。
【０００５】
一般に、電子機器等においては、搭載した電子部品等から発生する高周波数の電磁波の輻射を防止する構造として、電磁波を発生する回路部を金属製のシールド部材で覆う構造が採用される。しかし、シールド部材を用いると、通信端末の大型化が避けられない。
【０００６】
特許文献１には、アナログ／デジタル混成のシステムに利用されるプリント回路基板が記載されている。このプリント回路基板は、デジタルサブシステムの高周波信号によって引き起こされるノイズがアナログサブシステムに影響を及ぼすことを防止させることを目的とするもので、２つの接地プレーンとそれらを接続するバイアを用いてファラデー・ケージを形成し、アナログサブシステムをファラデー・ケージ内に配置するものである。
【０００７】
また、特許文献２には、高周波電磁波によるノイズの影響を除去するビデオカメラ装置が記載されている。このビデオカメラ装置は、メカデッキ部と対向配置される多層基板を備え、多層基板に設けたグランドアース層とメカデッキ部金属板シャーシとの間に形成される回路層に、高周波の電磁波を発生する電子部品を実装するものである。
【０００８】
カメラ付き通信端末では、カメラ部のデジタル信号処理部が発生する高周波の電磁波の無線通信部に対する影響を考慮する必要がある。高周波の電磁波は、無線特性を劣化させる可能性があるため、無線通信部から離してカメラ部を配置すること、あるいは無線通信部をフレームシャーシ等でシールドすることにより、電磁波の影響を避けることが考えられる。
【０００９】
しかし、このような方法を採用すると、無線通信部の近くにカメラ部を配置することが困難になって、配置設計に余裕がなくなり、あるいはシールドフレームの影響により、小型化、薄型化が容易ではない。
【００１０】
さらに、カメラ回路部の撮像素子の駆動信号及びアナログ信号処理部は、電磁波の影響を受け易く、電磁波の影響を受けた場合、撮像画像にノイズがのる可能性があるため、デジタル信号処理部から離して配線する必要があるが、小型化、薄型化を図られている通信端末においては、実装が容易ではない。
【００１１】
【特許文献１】特開平６−２７４２４６号公報
【特許文献２】特開平９−１６３１９３号公報
【発明の開示】
【発明が解決しようとする課題】
【００１２】
本発明は、上記事情に鑑みなされたもので、無線通信部の無線特性の劣化が少なく、撮影画像の画質劣化が少ない、小型化及び薄型化が可能なカメラ付き通信端末を提供することを目的とするものである。
【課題を解決するための手段】
【００１３】
本発明のカメラ付き通信端末は、カメラ機能を有するものであって、前記カメラ機能を実現するための回路の少なくとも一部を実装する第１の回路基板と、前記第１の回路基板と対向配置され、通信機能を実現するための無線回路の少なくとも一部を実装する第２の回路基板を備え、前記第１の回路基板は、前記カメラ機能を実現するための電子部品が実装される部品層と、前記カメラ機能を実現するためのアナログ信号処理部を構成するアナログ信号用配線層と、前記デジタル信号処理部を構成するデジタル信号用配線層と、前記デジタル信号用配線層を挟む２枚以上のグランド層を含み、前記グランド層の一つは、前記アナログ信号用配線層と前記デジタル信号用配線層との間に配置され、前記グランド層の他の一つは、前記第２の回路基板と対向して配置されるものである。
【００１４】
本発明によれば、アナログ信号処理部及び無線回路に対する電磁波の影響を、特別のシールド部材を必要とせずに簡単な構成で防止することができるとともに、小型化、薄型化を実現することができる。
【００１５】
本発明のカメラ付き通信端末は、前記アナログ信号用配線層には、前記アナログ信号処理部のアナログ信号線及び前記アナログ信号処理部に対する電源供給線が形成され、前記デジタル信号用配線層には、前記デジタル信号処理のデジタル信号線及び前記デジタル信号処理部に対する電源供給線が形成されるものを含む。本発明によれば、電源供給線を経由したノイズの影響も防止することができる。
【００１６】
本発明のカメラ付き通信端末は、前記デジタル信号処理部が、前記カメラ機能を実現するためのデジタル信号処理と当該通信端末の操作及び表示を制御するためのデジタル信号処理を行うものを含む。本発明によれば、高周波の電磁波を発生する可能性のあるデジタル信号処理部を確実にシールドすることができる。
【発明の効果】
【００１７】
以上の説明から明らかなように、本発明によれば、無線通信部の無線特性の劣化が少なく、撮影画像の画質劣化が少ない、小型化及び薄型化が可能なカメラ付き通信端末を提供することができる。
【発明を実施するための最良の形態】
【００１８】
以下、本発明の実施の形態について、図面を用いて説明する。
【００１９】
図１は、本発明の実施の形態のカメラ付き無線通信端末の回路基板の概略構成を示す図である。このカメラ付き無線通信端末は、互いに対向配置された第１の回路基板１０及び第２の回路基板２０を備える。第１の回路基板は、配線層１０ａ〜１０ｆを有し、第２の回路基板２０は、配線層２０ａ〜２０ｆを有する。なお、図１では、配線層１０ａ〜１０ｆ及び配線層２０ａ〜２０ｆを便宜的に連続層として示したが、実際には各配線層の間に絶縁層を有する。
【００２０】
配線層１０ａは、部品接続層であり、表面にカメラ部２を構成する電子部品群１１が実装される。配線層１０ｂは、カメラ部２のアナログ信号処理部のアナログ信号線が形成されるアナログ信号用配線層であり、配線層１０ｄ及び１０ｅは、デジタル信号処理部のデジタル信号線が形成されるデジタル信号用配線層である。
【００２１】
配線層１０ｃは、グランド層であり、配線層１０ｆは、領域３０がグランド層で領域４０が部品接続層である。配線層１０ｆの領域４０には、デジタル信号処理部を構成する電子部品群１２が実装される。デジタル信号処理部は、カメラ機能を実現するためのデジタル信号処理と通信端末の操作及び表示を制御するためのデジタル信号処理を行うものを含む。
【００２２】
配線層１０ｂには、アナログ信号線だけでなく、アナログ信号処理部に対する電源供給線も合わせて形成してもよい。また、配線層１０ｄ及び１０ｅには、デジタル信号線だけでなく、デジタル信号処理部に対する電源供給線も合わせて形成してもよい。
【００２３】
配線層１０ｆに実装される電子部品群１２は、デジタル信号処理部を構成する電子部品群のうち、ノイズを発生しにくい電子部品群である。図１では、配線層１０ｆの領域を部品接続層としたが、配線層１０ｆ全体をグランド層としてもよい。
【００２４】
第２の回路基板２０は、無線通信部１を構成する無線回路が実装されるものであり、配線層２０ａは部品接続層、配線層２０ｂはアナログ配線層、配線層２０ｃ及び２０ｅはグランド層、配線層２０ｄ及び２０ｆは、デジタル配線層である。
【００２５】
配線層２０ａに実装される電子部品群２１は、無線回路を構成する電子部品群であり、電子部品群２２は、制御部５を構成する電子部品群である。
【００２６】
図１から明らかなように、第１の回路基板を構成する配線層のうち、グランド層となる配線層１０ｃ及び配線層１０ｆは、デジタル信号用配線層となる配線層１０ｃ及び１０ｅを挟んでいる。そして、一方の配線層１０ｃは、アナログ信号用配線層とデジタル信号用配線層の間に形成され、他方の配線層１０ｆは、第２の回路基板２０に対向している。
【００２７】
したがって、デジタル信号用配線層である配線層１０ｄ及び１０ｅから高周波の電磁波が発生しても、グランドシールドの役割を果たす配線層１０ｃで遮蔽され、アナログ信号処理部では影響を受けにくくなる。また、同様にグランドシールドの役割を果たす配線層１０ｆで遮蔽され、第２の回路基板２０に形成される無線回路では、高周波の電磁波の影響を受けにくくなる。
【００２８】
なお、以上の説明では、配線層１０ｆを、グランド層となる領域３０と、部品接続層となる領域に分け、領域４０に相対的にノイズを発生しにくい電子部品郡２２を実装したが、領域４０もグランド層としてもよい。また、第１の回路基板を６層の配線層を有する基盤としたが、それ以上の配線層を有していてもよい。さらに、グランド層となる配線層を２層としたが、２層以上であってもよい。
【産業上の利用可能性】
【００２９】
以上のように本発明は、カメラ機能を実現するための回路を実装する第１の回路基板の層構成をアナログ信号用配線層とデジタル信号用配線層に分け、デジタル信号用配線層をグランド層で挟む設計をすることにより、無線通信部の無線特性の劣化が少なく、撮影画像の画質劣化が少ない、小型化及び薄型化が可能なカメラ付き通信端末等として利用可能である。
【図面の簡単な説明】
【００３０】
【図１】本発明の実施の形態のカメラ付き無線通信端末の回路基板の概略構成を示す図
【図２】カメラ付無線通信端末の機能ブロックの一例を示す図
【符号の説明】
【００３１】
１・・・無線通信部
２・・・カメラ部
３・・・入力部
４・・・出力部
５・・・制御部
１０・・・第１の回路基板
１０ａ〜１０ｆ・・・配線層
１１、１２・・・電子部品群
２０・・・第２の回路基板
２０ａ〜２０ｆ・・・配線層
１１、１２・・・電子部品群
【図１】
2006013783.tif 000003
【図２】
2006013783.tif 000004